(57)【要約】【課題】  表面に供給された経血等の体液を目立たせることなく、速やかに吸収体に移行させることができる吸収性物品の表面シートを提供すること。【解決手段】  多数の開孔６を有する吸収性物品の表面シート１であり、表面シート１は、表面側に位置する上部繊維層７と裏面側に位置する下部繊維層７’との２層構造を有し、開孔６は、表面シート１の表面側から裏面側に向かってそれぞれ延出する前記２層７，７’によって取り囲まれて形成されており、該２層７，７’間に空間を有する頂部５を有しており、開孔６の周縁部における前記２層７，７’は互いに接触した状態とされており、前記２層７，７’には、異なる親水処理剤が用いられて、上部繊維層７に比べて下部繊維層７’の方が、液の接触による液の表面張力の変化が生じやすくなっている。【選択図】  図２
2006255051.tif 000002
【特許請求の範囲】
【請求項１】
多数の開孔を有する吸収性物品の表面シートであって、
前記表面シートは、表面側に位置する上部繊維層と裏面側に位置する下部繊維層との２層構造を有し、前記開孔は、該表面シートの表面側から裏面側に向かってそれぞれ延出する前記２層によって取り囲まれて形成されており、
前記２層間に空間を有する頂部を有しており、前記開孔の周縁部における前記２層は互いに接触した状態とされており、
前記２層には、異なる親水処理剤が用いられて、前記上部繊維層に比べて前記下部繊維層の方が、液の接触による液の表面張力の変化が生じやすくなっている吸収性物品の表面シート。
【請求項２】
前記下部繊維層には、前記上部繊維層に比べて液耐久性の低い親水処理剤が用いられている請求項１記載の吸収性物品の表面シート。
【請求項３】
多数の畝部と溝部とが交互に配列され、前記溝部に前記開孔が形成され、前記畝部に前記頂部を有している請求項１又は２記載の吸収性物品の表面シート。
【請求項４】
前記開孔が周囲に複数配置された凸部が多数形成されており、該凸部に前記頂部を有している請求項１又は２記載の吸収性物品の表面シート。
【発明の詳細な説明】
【技術分野】
【０００１】
本発明は、生理用ナプキン、パンティライナー（おりものシート）、失禁パッド、使い捨ておむつ等の吸収性物品の表面シートに関する。
【背景技術】
【０００２】
フィルムタイプの実施品があるので、削除します。
従来、生理用ナプキンや使い捨ておむつ等の吸収性物品の表面シートとしては、有孔フィルムあるいは不織布が多く用いられている。
本出願人は、ドライ感、及びソフト感や柔らかさのような風合いを向上させた表面シートとして、多数の開孔を有する不織布からなる吸収性物品の表面シートであって、少なくとも２層の不織布からなり、各不織布が上記開孔の周縁部において互いに接合されている表面シートを提案した（特許文献１参照）。
また、吸収性物品の表面シートとその下に配される中間シートとを接着し、中間シートを構成する繊維に耐久性の親水油剤を付着した吸収性物品が提案されている（特許文献２参照）。
【０００３】
【特許文献１】特開平１０−８０４４５号公報
【特許文献２】特開２００３−１７５０７４号公報
【発明の開示】
【発明が解決しようとする課題】
【０００４】
しかし、特許文献１記載の表面シートは、表面に供給された体液を目立たなくすることや、体液を吸収体に速やかに移動させる点において、改良の余地を残すものであった。特許文献２記載の表面シートと中間シートの積層構造においては、中間シートを構成する繊維に耐久性の親水油剤を用いているが、供給された体液が増える程、表面シート内に残留する液を中間層へ移動させ吸収体へ導くことができにくくなり、表面に供給された体液を目立たなくすることができない。
【０００５】
従って、本発明の目的は、表面に供給された経血等の体液を目立たせることなく、速やかに吸収体に移行させることのできる吸収性物品の表面シートを提供することにある。
【課題を解決するための手段】
【０００６】
本発明は、多数の開孔を有する繊維集合体からなる吸収性物品の表面シートであって、前記表面シートは、表面側の上部繊維層と裏面側の下部繊維層との２層構造を有し、前記開孔は、該表面シートの表面側から裏面側に向かってそれぞれ延出する前記２層によって取り囲まれて形成されており、前記２層間に空間を有する頂部を有しており、前記開孔の周縁部における前記２層は互いに接触した状態とされており、前記２層には、異なる親水処理剤が用いられて、前記上部繊維層に比べて前記下部繊維層の方が、液の接触による液の表面張力の変化が生じやすくなっている吸収性物品の表面シートを提供することにより前記目的を達成したものである。
【発明の効果】
【０００７】
本発明の吸収性物品の表面シートによれば、表面に供給された経血等の体液を目立たせることなく、速やかに吸収体に移行させることができる。
【発明を実施するための最良の形態】
【０００８】
以下に、本発明について、その好ましい一実施形態に基づき図面を参照しながら説明する。ここで、図１は、本発明の吸収性物品の表面シートの一実施形態の要部を拡大して示す平面図であり、図２は、図１におけるＡ−Ａ線に沿った部分断面図であり、図３は、図１に示す表面シートの斜視図である。
【０００９】
図１〜図３に示す如く、本実施形態の表面シート１は、多数の開孔６，６，・・を有し、且つ上部繊維層７と下部繊維層７’との２層構造を有している。
上部繊維層７は、表面シート１における表面側（表面シートの使用時に着用者の肌側に向けられる側）に位置し、下部繊維層７’は、表面シート１における裏面側（表面シートの使用時に着用者の肌側とは反対側に向けられる側）に位置している。本実施形態の表面シート１における２層の繊維層７，７’は、何れも不織布からなる。以下、上部繊維層７を構成する不織布を不織布７又は上層の不織布７、下部繊維層を構成する不織布を不織布７’又は下層の不織布７’ともいう。
【００１０】
図２及び図３に示す如く、開孔６は、表面シート１の表面側１Ａから裏面側１Ｂに向かってそれぞれ延出する２層の不織布７，７’によって取り囲まれて形成されている。開孔６の内壁１０は、表面シート１の表面８Ａからの連続面で形成されている。即ち、上記開孔６は、立体的な開孔である。立体的な開孔の態様としては、例えば、上記開孔６を取り囲む不織布が円筒状になっている開孔や、上記開孔６の径が上記表面側１Ａから上記裏面側１Ｂに向かって漸次増加していく円錐状の開孔等が挙げられるが、図２及び３に示す如く、上記開孔６の径が上記表面側１Ａから上記裏面側１Ｂに向かって漸次減少していく逆円錐状の開孔が好ましい。開孔６の形状に特に制限はなく、例えば楕円形、三角形又は四角形の開孔でもよいが、図１に示すように、異方性のない円形の開孔とすることが、表面シート１のソフト感を向上させ得る点から好ましい。開孔６は、例えば、後述する本発明の表面シートの好ましい製造方法に従って形成することができる。
【００１１】
本実施形態の表面シート１においては、図２に示すように、開孔６の下端周縁部の径ｄが０．５〜２．０ｍｍであることが好ましい。また、本実施形態の表面シート１の開孔率は５％以上であることが好ましく、７％以上であることが更に好ましく、１０〜２０％であることが一層好ましい。上記開孔率は、本実施形態の表面シート１をその表面側１Ａから裏面側１Ｂに投影した場合に形成される開孔の面積を表面シートの面積で除すことによって求められた値である。
【００１２】
図２に示す如く、表面シート１は、２層の不織布７，７’間に空間を有する頂部５を有している。本実施形態の表面シート１においては、図１〜図３に示すように、多数の畝部２と溝部４とが交互に配列されており、溝部４に開孔２が形成され、該畝部２に前記頂部５を有している。互いに隣り合う溝部４間は、頂部５を有するように凸状に湾曲している。頂部は、表面シートの平面方向の何れかの方向（例えば、図１のＡ−Ａ線が延びる方向）において隣り合う開孔間における最も高い位置である。
【００１３】
本実施形態の表面シート１においては、図３に示す如く、頂部が連続的に連なり、畝部を形成していることが好ましい。図３に示す表面シート１においては、複数の上記頂部が略直線的に連続的に連なり、多列の畝部２，２，・・を形成し、隣り合う上記畝部２，２の間は溝部４となり、上記畝部２と上記溝部４とは平面部を有しないように交互に配列されている。そして、上記畝部２は凸状に湾曲し且つ上記溝部４は凹状に湾曲しており、上記溝部４は所定間隔をおいて配置された多数の上記開孔６，６，・・を有している。このように、上記畝部２及び上記溝部４を形成することによって、該畝部２及び溝部４と平行な方向と、それらに直角な方向とにおける曲げ特性（例えば、バルクソフトネス等）に異方性を付与することができ、表面シート１の身体へのフィット性や風合いを一層向上せしめ得るので好ましい。尚、溝部４における開孔６，６，・・の配置パターンには特に制限はなく、例えば、図１に示すような千鳥状の配置パターンを用いることができる。この場合、溝部４に沿う開孔６，６間の間隔Ｎは、０．４〜４０ｍｍであることが好ましく、１．５〜８ｍｍであることが更に好ましい。
【００１４】
本実施形態の表面シート１においては、図１〜図３に示す如く、上記畝部２と上記溝部４とは交互に配列されており、上記溝部４は上記畝部２からの連続面で形成されている。図１に示す如く、隣合う上記畝部２間の間隔Ｌは、１．０〜６．０ｍｍであることが好ましく、１．７〜３．７ｍｍであることが更に好ましい。また、隣合う上記溝部４間の間隔Ｍも同様に１．０〜６．０ｍｍであることが好ましく、１．７〜３．７ｍｍであることが更に好ましい。
【００１５】
本実施形態の表面シート１においては、平面方向における、ある一方向において隣り合う開孔６，６間の頂部５の高さ（例えば、図１におけるＰの位置の高さ）と、該方向と異なる方向において隣り合う開孔６，６間の頂部５の高さ（例えば、図１におけるＱの位置の高さ）とが異なっている。本表面シート１のように、高さの異なる複数の頂部を有する場合、最も高さの高い頂部が、２層間に空間を有する頂部５であることが好ましい。
【００１６】
図２及び図３に示すように、実施形態の表面シート１においては、畝部２の頂部において、上層の不織布７と下層の不織布７’とが互いに離間しており、該頂部が、両不織布７，７’間に空間を有する頂部５となっている。
頂部５においては、後述する両不織布７，７’の界面における液の拡散が抑制され、表面シート１上に供給された経血等の体液が、広範囲に拡散して目立つことを防止することができる。上述したように本実施形態の表面シート１においては、高さの異なる頂部が存在するが、その何れの頂部においても、両不織布７，７’間に空間が形成されていても良いが、一方の頂部（Ｑ）においてのみ両不織布７，７’間に空間が形成されていることが長手方向への液拡散を促し吸収性を高められる点から好ましい。
また、開孔６は、その配置パターンによらず、内部に空間を有する頂部５によって、周囲を略囲まれていることがより好ましい。図４に示す如く、頂部５における両不織布７，７’間の離間距離Ｈは、０．０５〜１ｍｍであることが好ましく、０．１〜０．５ｍｍであることが更に好ましい。
【００１７】
他方、図２及び図３に示すように、開孔６の周縁部６１においては、上層の不織布７と下層の不織布７’とが接触した状態となっている。
本明細書において、２層が「互いに接触した状態」とは、上部繊維層及び下部繊維層を構成する繊維の少なくとも一部が、繊維の形態を維持した状態で、２層の繊維層が接触していることを意味し、両繊維層を構成する繊維が、それぞれ繊維の形態を維持したまま接触している状態を接触が始まる部分から開孔端まで液が通過できるような連続性を有して形成されていることが好ましい。尚、繊維の形態を維持した状態には、液の通過を阻害しない程度に一部の繊維が、フィルム化している場合も含まれる。
開孔の周縁部において互いに接触した２層の繊維層は、一方の繊維層を構成する繊維と他方の繊維層を構成する繊維とが、（ａ）機械的に絡合したり、（ｂ）熱的に軟化・溶融したりして、接触した状態を保っている。また、不織布の接触状態を高めるため、接着剤等により部分的に接着されていても良い。
【００１８】
開孔６の周縁部６１における両不織布７，７’は、下層の不織布７’によって形成された円筒状部ないし逆円錐状部の内面側に、上層の不織布７によって形成された円筒状部ないし逆円錐状部が嵌合して一体化していることが好ましい。
【００１９】
上層の不織布７と下層の不織布７’とは、開孔６の周縁端６２から０．０２〜１．５ｍｍ、更に０．０５〜１ｍｍ特に０．１〜０．３ｍｍの長さに亘って相互に接触していることが肌との接触が柔らかく（クッション性が高く）、ドライ感に優れ、液の吸収体への移行が良好となる点から好ましい。ここでいう長さは、表面シートの垂直断面において、両者の界面に沿って測定した長さである。
また、上層の不織布７と下層の不織布７’との離間距離は、図２に示す如く、頂部５から開孔６の周縁部６１に向かって漸次減少していることが、クッション効果や液の吸収性を高める点から好ましい。
【００２０】
本実施形態の表面シート１における２枚の不織布７，７’は、それぞれ、親水処理剤が用いられて親水化されている。ここでいう、親水処理剤には、繊維表面に付着させる表面付着型の処理剤（繊維油剤等）、繊維中に練り込んで用いられる練り込み型の処理剤、及び繊維表面に付着させた処理剤を熱処理等により処理剤の一部を繊維に埋め込み固定する表面固定型の処理剤の何れもが含まれる。また、一枚の不織布に複数のタイプの処理剤を適用しても良い。
上層の不織布７には、表面付着型の処理剤を用いることが好ましく、下層の不織布７’には、表面付着型及び練り込み型の何れもが好ましく用いられる。
上層の不織布７と下層の不織布７’には、異なる親水処理剤が用いられており、それによって、上層の不織布（上部繊維層）７に比べて下層の不織布（下部繊維層）７’の方が、液の接触による液の表面張力の変化が生じやすくなっている。
ここで、液の表面張力の変化は、上部繊維層と下部繊維層が接触している部分において液が拡散することによって示されるが（ここでは主に開孔周縁部）、液が不織布の繊維表面に接触した際、繊維表面に付着している繊維油剤が液に溶け込むことによって、液の表面張力が低下するため、液自体が疎水性の材料となじみ易く、親水性材料となじみ難くなる現象を示している。本発明では、主に下部繊維層を構成する不織布又はウエブに使用されている繊維油剤の働きである。一方、上部繊維層を構成する不織布又はウエブには、耐久性のある繊維油剤、即ち液に対する溶解性の低い繊維油剤が使用されているため、液の表面張力の変化が少なくなる。
【００２１】
上層の不織布７より下層の不織布７’の方が、液接触による液の表面張力の変化が生じやすい構成としては、以下のような場合が挙げられる。上部繊維層及び／又は下部繊維層として、不織布化されていないウエブを用いる場合についても、同様の場合が挙げられる。
（１）上層の不織布７及び下層の不織布７’の両者に、表面付着型の親水処理剤（繊維油剤等）を用いるが、下層の不織布７’に、上層の不織布７よりも、耐久性の低い処理剤（液に溶解しやすい処理剤）を用いた場合。
（２）上層の不織布７の繊維に練り込み型の親水処理剤を用い、下層の不織布７’の繊維に表面付着型の親水処理剤を用いた場合。この場合、練り込み型の特徴として、繊維に使用されている樹脂との親和性がより強いと考えられるため（溶融状態の樹脂には溶け、融点以下の樹脂には溶解しない半相溶性による）、下層の不織布７’の繊維より低溶解性を発現する。
（３）上層の不織布７の繊維に予めコロナ処理を施した後、表面付着型の親水処理剤を用い、下層の不織布７’の繊維に表面付着型の親水処理剤を用いた場合。
（４）上層の不織布７の繊維に熱処理による親水性処理剤の埋め込み（２段階熱処理；第１処理による繊維表面への固定、第２処理による疎水性部分の繊維樹脂埋め込み）を行い、下層の不織布７’の繊維に表面付着型の親水処理剤を用いた場合。
上記の（１）〜（４）の中でも、親水処理剤の適用性が高く、表面処理へのバラツキの点から、（１）及び（３）が好ましく、（１）がより好ましい。尚、以上の４例では、下層の不織布の繊維の処理には表面付着型を用いているが、上層の不織布よりも溶解性が高い範囲内で、下層不織布の繊維に対して、（２）及び（３）における上層不織布の繊維に対する親水処理剤の固定方法と同様の方法により、親水処理剤の固定を行っても良い。
【００２２】
表面付着型の処理剤（繊維油剤等）としては、カチオン型、アニオン型、両性型の界面活性剤が親水性処理剤として用いられ、主鎖構造が炭化水素系やシリコン系、また、オレフィンオキシド等が挙げられる。
上層の不織布に用いる高耐久性の表面付着型の処理剤としては、カチオン型炭化水素系（炭素数２０〜４０）やオリゴマー型オレフィンオキシド等を用いることが親水性と耐久性の点から好ましい。
【００２３】
練り込み型の処理剤としては、表面付着型の処理剤と同様のものを用いることができるが、半相溶性を実現しやすいことから、オリゴマー型オレフィンオキシド、シリコン主鎖型等が好ましい。
【００２４】
表面付着型の親水処理剤を不織布に用いる方法は、不織布とした後の繊維に対して、噴霧、塗工等を用いて付着させても、不織布とする前の繊維状態において、ディッピング法（浸績法）等を用いて付着させても良い。
表面付着型の処理剤の使用量は、特に制限されないが、例えば０．０５〜０．５ｗｔ％程度である。練り込み型の親水処理剤の使用量は、特に制限されないが、例えば１〜１０ｗｔ％程度である。
【００２５】
表面シート１を構成する不織布７，７’としては、それぞれ、従来公知の不織布を特に制限なく用いることができる。例えば、カード法により製造された不織布、スパンボンド不織布、メルトブローン不織布、スパンレース不織布及びニードルパンチ不織布等の種々の不織布を目的・用途に応じて適宜選択することができる。これらの不織布における繊維の結合手段に特に制限はなく、例えば、バインダーによる結合や熱融着による結合を用いることができる。また、繊維の結合に代えて、スパンレース不織布等のように繊維の機械的な絡合を利用してもよい。肌触りと液吸収性の点から、上層の不織布７には、カード法やエアレイ法によりウエブ化された繊維をエアスルー法により不織布としたものが好ましく、下層の不織布７’には、カード法によるウエブ化の後エアスルー法により不織布化されたものや、スパンボンド不織布を用いることが特に好ましい。
本発明において、上部繊維層及び／又は下部繊維層として、不織布化していないウエブを用いることもできる。不織布化していないウエブとしては、カード法により解繊処理を施し、繊維同士の絡み合いのみで繊維層が形成され、その後の不織布化工程（例えば、スパンレース法、ニードルパンチ法、エアスルー法など）を経ないようにして得たウエブ等を用いることができる。尚、本明細書において「不織布」には、単体の不織布のみならず、不織布同士を複合・一体化した積層不織布も含まれる。
【００２６】
また、不織布７，７’に使用される繊維としては、例えば、ポリエチレン（ＰＥ）、ポリプロピレン（ＰＰ）、ポリエチレンテレフタレート（ＰＥＴ）のようなポリエステル及びナイロンのようなポリアミド等の合成繊維、レーヨン及びキュプラ等の再生セルロース繊維、並びにコットン等の天然繊維が挙げられるが、これらに限定されるものではない。また、融点の高い繊維を芯とし且つ融点の低い繊維を鞘とした芯鞘型繊維やサイド−バイ−サイド型繊維、分割型繊維等の複合繊維等も好適に用いられる。これらの繊維は１種又は２種以上を使用することができる。上部繊維層又は下部繊維層に、不織布化していないウエブを用いる場合の繊維としては、不織布の場合と同様のもの等を用いることができる。
尚、上層の不織布７と下層の不織布７’とは、同一のものでもよく又は異なっていてもよい。また、上層の不織布７を構成する繊維と下層の不織布７’を構成する繊維とは、同一のものでもよく又は異なっていてもよい。
【００２７】
本実施形態の表面シート１は、液透過性の表面シート、液不透過性（難透過性も含む）の裏面シート及びこれら両者間に配された吸収体を具備する吸収性物品の前記表面シートとして、特に好ましく用いられる。本実施形態の表面シート１を吸収性物品に組み込む場合においては、上記表面８Ａの側を肌に接する面とし、裏面側を吸収体側に向けて使用する。
尚、本実施形態の表面シート１においては、畝部２及び溝部４の方向と、本実施形態の表面シート１が使用される吸収性物品の長手方向や横断方向とが合致する必要はない。例えば、畝部２及び溝部４の方向が吸収性物品の長手方向となっていても何ら支障はなく、好適に用いることができる。同様に、畝部２及び溝部４と直角の方向が吸収性物品の長手方向となっていても何ら支障はなく、好適に用いることができる。また、表面シートにおける裏面側に位置する下部繊維層は、吸収体と直接接触せずに、不織布や吸収紙等で構成された中間シートを介して、表面シートと裏面シートとの間に吸収体を具備することができる。
【００２８】
本実施形態の表面シート１においては、図４に示す如く、表面シート１の表面側１Ａから供給された経血等の体液は、主として、開孔６から直接吸収体へと移行する経路（矢印Ａで示す経路）、上層の不織布７内を通って頂部５から吸収体へと移行する経路（矢印Ｂ群で示す経路）、及び、上層の不織布７内を通って頂部５から開孔周縁部６１に移行し、開孔周縁部６１おける両不織布７，７’間の界面を通って吸収体４へと移行する経路（矢印Ｃ群で示す経路）で、吸収体へと速やかに移行する。更に、頂部５において、上層の不織布７から下層の不織布７’に移行した後、下層の不織布７’内を通って開孔周縁部６１に移行し、開孔周縁部６１における両不織布７，７’間の界面を通って吸収体４へと移行する経路（矢印Ｄ群で示す経路）もある。
【００２９】
本実施形態の表面シート１においては、２層の不織布に異なる親水処理剤が用いられて、上層の不織布７より下層７’の不織布の方が、液接触による液の表面張力の変化が生じやすくなっているため、液の表面張力の変化の生じ易さを異ならせない場合に比べて、両不織布の界面における液の拡散性（移動速度）が顕著に向上している。したがって、特に矢印Ｃ群で示す経路や矢印Ｄ群で示す経路で液が速やかに移動し、表面シート１上に供給された液は、速やかに吸収体に移行する。他方、頂部５においては、上下層の不織布７，７’間に空間が形成されているため、頂部付近においては、不織布の界面を通っての液の拡散が抑制され、それにより、表面に供給された経血等の体液が広範囲に拡散して目立つことを防止することができる。
【００３０】
尚、開孔６の周縁部６１において両不織布の界面を速やかに拡散する理由は、開孔周縁部６１においては、上層の不織布７を経由してきた液においては、高耐久性の親水処理剤のため、液の性質（表面張力）の変化は少ないが、開孔周縁部において下層の不織布と接することで、液の表面張力が低下する。液の表面張力の低下は、疎水性材料とのなじみ易さが高まる分、親水性材料とのなじみ易さが低くなる。このため、表面張力が変化した液は、親水性の表面が維持されている上層の不織布よりも、液との接触によって親水性が低下した下部の不織布となじみ易く、結果として上層の不織布と下層の不織布の境界にて液の拡散性が高まる。この現象は、時間の経過とともに下層の上層側表面から徐々に下層の層内に液が入り込むと考えられる。）そのため、上層の不織布と下層の不織布の境界は、繊維間が最も狭い領域となるため、その境界にて液が速やかに拡散すると推定される。なお、この仮定は、頂部５付近上層不織布⇒頂部５付近下層不織布⇒開孔周縁部と液が導かれた場合も同様と推定できる。
【００３１】
更に、本実施形態の表面シート１によれば、開孔周縁部６１に移行した液が、開孔６が立体開孔であることによって、表面側１Ａから見ても目立たず、また、頂部５に空間が存在することによって、吸収体や下層の不織布に移行した液が、頂部５の上層の不織布に戻りにくいという効果も奏される。
【００３２】
尚、上下の不織布の界面における液拡散性を向上させる観点から、不織布の構成繊維は、フィルム化はしないが、元の繊維形状を残さないように変形されて繊維間空間が狭く形成されていることが好ましく、芯鞘構造型繊維、偏芯型繊維で構成されているか、ポリエチレン繊維をバインダー成分としてポリエステルやポリエチレンの単繊維と複合して、バインダー成分よりも融点の高い樹脂を配合することが好ましい。
【００３３】
次に、本実施形態の表面シート１を製造するための好ましい方法を詳述する。
本実施形態の表面シートは、２枚の不織布を重ね合わせ、機械的に開孔することにより製造することができる。より詳細には、原反ロールから巻き出された２枚の不織布を積層した後、積層された不織布を第１の押し型と第２押し型との間に介在させることにより、上記構造を有する表面シートを製造することができる。上記第１の押し型は、不織布の搬送方向に沿って角錐又は円錐形状の多数の凸状ピンを列状に有し且つ該列が多列に並設しているピンロールから構成されており、上記第２押し型は第１の第１の押し型における多列の凸状ピンの間に嵌入する突条部を有する突条ロールから構成されている。このような構成の押し型は、本出願人の先の出願に係る特開平６−３３０４４３号公報等に記載されている。
【００３４】
本製造方法では、ピンロールは、その凸状ピンが上記不織布の搬送方向に沿って列になって、しかもその列が多列に並設している。一方、突条ロールは、その突条部が上記ピンロールの各凸状ピンの列と列の間に嵌入する。その結果、突条ロールの突条部によって、頂部５が連続した畝６が容易に形成され、しかも、ピンロールにおける凸状ピンの上下不織布への針入により、開孔６が形成される。この場合、上記ピンロールの加熱は、フィルム化しない程度におこなうため繊維の樹脂成分よりも低い温度（不織布に複数樹脂を用いる場合は、高融点成分より低い温度）に加熱しておき、開孔の周縁部における上下層の不織布を、重ね合せて、上層の不織布を凸ピンロール側として凸ピンロールと空条ロール間に挿入する。この際、少なくとも下層の不織布の構成繊維を、全体がフィルム化しないようにしつつ、一体化させる。
【００３５】
尚、上下層の不織布間に空間を有する頂部５を形成するためには、下層不織布に予め長手方向に延びた凹凸形状を付与する，部分的に凹形状もしくは凸形状を付与する等により上層不織布と接触しない部分を形成する方法，下層不織布の伸張性をエンボス加工などにより上層より低下させる，下層不織布の伸縮性を上層より高くするなどの方法により開孔形成時の不織布に加わる歪を開孔形成後緩和する方法により形成できる。また、空条ロールを加熱し、頂部部分における下層不織布の厚みを開孔時の状態で固定し、下層不織布の頂部以外の厚みが回復すすことによって、空間を形成することができる。この場合、下層不織布はエアスルー不織布やエアレイド不織布などの嵩高な不織布を用いることが好ましい。
【００３６】
以上、本発明の表面シートをその好ましい実施形態に基づき説明したが、本発明の表面シートは上記実施形態に制限されず、本発明の趣旨を逸脱しない範囲において種々の変更が可能である。
例えば、本発明の吸収性物品の表面シートは、図５に示すように、開孔６間の頂部５が一方向に連続して畝を形成していないものであっても良い。図５に示す表面シート１’においては、頂部５と開孔６とが千鳥状に配置されている。表面シート１’においては、開孔６が周囲に複数（図示例では４個）配置された凸部２’が多数形成されており、該凸部２に、何れも不織布からなる上部繊維層と下部繊維層との間に空間を有する頂部５が形成されている。表面シート１’においては、隣り合う開孔６として、両者間に凸部２’が形成されているものと、両者間が比較的平坦なものとがあるが、凸部２’が形成されている方の開孔６間の凸部２’の頂部に、上下層の不織布間の空間が形成されている。
【００３７】
図６は、本発明の更に他の実施形態の表面シートを示す図であり、図５に示す表面シートと同様に、表面シートの面と平行な何れの方向においても頂部５が連続していない。
図６に示す表面シート１”においては、頂部５において、上層の不織布７に対して下層の不織布７’が、平面方向に分散した複数の当接点９において部分的に当接している。当接点９の好ましい配置の一例としては、正三角形や正方形等の正多角形の中心点と該正多角形の各角部に当接点を配置する形態が挙げられる。頂部５に当接点９を設けた表面シートによれば、当接点９を介して、頂部における上層の不織布７から下層の不織布７’への液の移行が生じ、上述した表面シート１における図４中Ｄ群で示す経路の液の移行がより効率的に生じる。
図５及び図６に示す表面シートについて、特に説明しない点は、上記の表面シート１と同様とすることができる。図６に示す実施形態の表面シートは、例えば、下層用の不織布にエンボス加工等により片面に突出する凸部を形成した後、別に製造した不織布と重ねて、両者に一体的に開孔を形成することで得られる。
【００３８】
本発明の表面シートにおける２枚の不織布は、何れか一方又は両方が、複数の不織布を積層してなる積層不織布であっても良い。また、開孔は表面シートの全面に設けられている必要はなく、所定の領域にのみ設けられていてもよい。また、開孔の配列の仕方は千鳥状に限られず、格子状又はその他の配列でもよい。
本発明の吸収性物品の表面シートを用いる吸収性物品は、生理用ナプキンに限られない。他の吸収性物品としては、例えば、パンティライナー（おりものしーと）、失禁パッド、使い捨ておむつ、ハイジーンパッド、授乳パッド等が挙げられる。
【図面の簡単な説明】
【００３９】
【図１】本発明の吸収性物品の表面シートの一実施形態の要部を拡大して示す平面図である。
【図２】図１におけるＡ−Ａ線に沿った部分断面図である。
【図３】図１に示す実施形態の表面シートの斜視図である。
【図４】図１に示す表面シートの作用効果を説明する模式断面図である。
【図５】本発明の他の実施形態を示す斜視図である。
【図６】本発明の更に他の実施形態を示す断面図である。
【符号の説明】
【００４０】
１，１’，１” 表面シート
２ 畝部
４ 溝部
５ 頂部
６ 開孔
６１  開孔の周縁部
７   表面側の不織布（上部繊維層）
７’  裏面側の不織布（下部繊維層）
１Ａ 表側面
１Ｂ 裏側面
【図１】
2006255051.tif 000003
【図２】
2006255051.tif 000004
【図３】
2006255051.tif 000005
【図４】
2006255051.tif 000006
【図５】
2006255051.tif 000007
【図６】
2006255051.tif 000008